【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
ウィンドシールド・ワイパおよび噴霧器アセンブリを備えるウィンドシールド洗浄システムであって、そのウィンドシールド・ワイパおよび噴霧器アセンブリが、
ウィンドシールド・ワイパ・アセンブリと、
前記ウィンドシールド・ワイパ・アセンブリを自動車のウィンドシールドに沿って回転および直線運動で動作させるよう動作するウィンドシールド・ワイパ・ドライバ・アセンブリと、
前記ウィンドシールド・ワイパ・アセンブリに装着したウィンドシールド噴霧器アセンブリとを備え、前記ウィンドシールド噴霧器アセンブリが少なくとも１つの噴霧器を備え、該噴霧器が、
噴霧器ハウジングと、
前記噴霧器ハウジングに対して選択的に位置決めされ、噴霧を可能にする第１位置と、噴霧を可能にしない第２位置とをとる噴霧器ハウジング・クロージャとを備え、更に、
ウィンドシールド・ワイパ・アセンブリの回転位置に従い、前記噴霧器ハウジングに対して前記噴霧器ハウジング・クロージャを前記第１および第２位置のいずれかに選択的に配置するため、前記ウィンドシールド・ワイパ・アセンブリの前記直線運動に応答して動作するウィンドシールド噴霧器アセンブリ位置決めアセンブリを備えるウィンドシールド洗浄システム。
【請求項２】
ウィンドシールド噴霧器アセンブリで、
少なくとも１つの噴霧器を備え、これが、
噴霧器ハウジングと、
前記噴霧器ハウジングに対して選択的に位置決めするよう配置され、噴霧を可能にする第１位置と、噴霧を可能にしない第２位置とをとる噴霧器ハウジング・クロージャとを備え、更に、
前記噴霧器ハウジングを加熱する加熱器を備えるウィンドシールド噴霧器アセンブリ。
【請求項３】
前記加熱器が前記噴霧器ハウジング・クロージャも加熱する、請求項２に記載のウィンドシールド噴霧器アセンブリ。
【請求項４】
ウィンドシールド・ワイパおよび噴霧器アセンブリを備えるウィンドシールド洗浄システムであって、そのウィンドシールド・ワイパおよび噴霧器アセンブリが、
ウィンドシールド・ワイパ・アセンブリと、
自動車のウィンドシールドに沿った回転運動で前記ウィンドシールド・ワイパ・アセンブリを動作させるよう動作するウィンドシールド・ワイパ・ドライバ・アセンブリと、
前記ウィンドシールド・ワイパ・アセンブリに装着したウィンドシールド・噴霧器・アセンブリとを含み、前記ウィンドシールド噴霧器アセンブリが少なくとも１つの噴霧器を備え、該少なくとも１つの噴霧器が、
噴霧器ハウジングと、
前記噴霧器ハウジングに対して選択的に位置決めするよう配置され、噴霧を可能にする第１位置と、噴霧を可能にしない第２位置とをとる噴霧器ハウジング・クロージャとを備え、更に、
ウィンドシールド・ワイパ・アセンブリの回転位置にしたがって、前記噴霧器ハウジングに対して第１および第２位置のいずれかで前記噴霧器ハウジング・クロージャを選択的に位置決めするため、前記ウィンドシールド・ワイパ・アセンブリの前記回転運動に応じて動作するウィンドシールド噴霧器アセンブリ位置決めアセンブリを備えるウィンドシールド洗浄システム。
【請求項５】
ウィンドシールド・ワイパおよび噴霧器アセンブリに有用な液体加熱アセンブリで、
液体加熱室を画定するハウジングと、
前記液体加熱室内に配置され、ベース部分、および自身に沿って様々な高さに複数の液体注入口を設けた概ね円筒形の壁部分を含む液体加熱ボリューム画定サブアセンブリとを備える液体加熱アセンブリ。
【請求項６】
ウィンドシールド・ワイパおよび噴霧器アセンブリに有用な液体加熱アセンブリであって、
液体加熱室を画定するハウジングと、
前記液体加熱室内に配置され、ベース部分、および少なくとも１つの液体注入口を設けた概ね円筒形の壁部分を含む液体加熱ボリューム画定サブアセンブリと、
前記液体加熱ボリュームから加熱した液体を受け、さらなる加熱液体を出口に提供するラビリンス式加熱ユニットとを備える液体加熱アセンブリ。
【請求項７】
ウィンドシールド・ワイパおよび噴霧器アセンブリに有用な液体加熱アセンブリであって、
液体加熱室を画定するハウジングと、
前記液体加熱室内に配置され、ベース部分、および少なくとも１つの液体注入口を設けた概ね円筒形の壁部分を含む液体加熱ボリューム画定サブアセンブリと、
ポンプとを備え、これが自動車の当初の装備の一部ではなく、自動車の当初の装備の一部である液体リザーバから導管を介して受けた液体に加圧する液体加熱アセンブリ。
【請求項８】
前記液体加熱アセンブリが、既存の自動車に追加設置するよう配置される、請求項６又は７に記載の液体加熱アセンブリ。
【請求項９】
電子加熱制御回路も備える、請求項５から８のいずれか１項に記載の液体加熱アセンブリ。
【請求項１０】
前記電子加熱制御回路が、加圧状態で前記液体加熱室への液体の供給を支配する少なくとも１つのポンプにも電力を供給する、請求項９に記載の液体加熱アセンブリ。
【請求項１１】
前記電子加熱制御回路が、ウィンドシールド・ワイパの往復回転を生成するため、それに電力および電気制御信号のうち少なくとも１つを提供する、請求項９又は１０に記載の液体加熱アセンブリ。
【請求項１２】
前記電子加熱制御回路に少なくとも１つの操作入力を供給するため、少なくとも１つのオペレータ制御装置も備える、請求項９から１１のいずれか１項に記載の液体加熱アセンブリ。
【請求項１３】
前記少なくとも１つのオペレータ制御装置が、少なくとも部分的には自動車の既存の配線を介して、前記電子加熱制御回路と連絡する、請求項１２に記載の液体加熱アセンブリ。
【請求項１４】
前記少なくとも１つのオペレータ制御装置が、自動車のバッテリと前記電子加熱制御回路とを相互接続する電力線に信号変調を与えさせ、前記電子加熱制御回路が、このような信号変調を復号し、液体加熱アセンブリの機能制御にそれを使用する機能を含む、請求項１３に記載の液体加熱アセンブリ。
【請求項１５】
液体加熱アセンブリと、
ウィンドシールド・ワイパ、ウィンドシールド噴霧器、および前記ウィンドシールド噴霧器に液体を要求する液体供給導管のうち少なくとも１つと熱交換係合した状態で循環するため、前記液体加熱アセンブリから加熱液体を供給する加熱液体循環アセンブリとを備える加熱液体循環システム。
【請求項１６】
液体加熱アセンブリと、
少なくとも１つの噴霧器と、
加熱した液体を前記液体加熱アセンブリから前記少なくとも１つの噴霧器へと噴霧するため、それを供給するよう、少なくとも１本の加熱液体供給導管を含む加熱液体供給アセンブリと、
ウィンドシールド・ワイパ、前記少なくとも１つの噴霧器および少なくとも１本の加熱液体供給導管のうち少なくとも１つを加熱するため、それと熱交換係合した状態で循環させるため、加熱した液体を前記液体加熱アセンブリから供給する加熱液体循環アセンブリとを備える加熱液体ワイパおよび噴霧器アセンブリ。
【請求項１７】
前記液体加熱アセンブリが、既存の自動車に追加設置するよう配置される、請求項１６に記載の加熱液体ワイパおよび噴霧器アセンブリ。
【請求項１８】
前記液体加熱アセンブリからの加熱液体が、１対の循環導管と協働する循環ポンプによって、前記加熱液体供給導管に沿って前記少なくとも１つの噴霧器を通して循環し、循環導管は前記少なくとも１つの噴霧器において結合され、連続的な循環路を画定する、請求項１６又は１７に記載の加熱液体ワイパおよび噴霧器アセンブリ。
【請求項１９】
前記循環導管および前記液体供給導管が、一体導管内に画定される、請求項１８に記載の加熱液体ワイパおよび噴霧器アセンブリ。
【請求項２０】
前記循環導管が通常、前記加熱液体供給導管との間の効率的な熱伝達のため、それを囲む、請求項１９に記載の加熱液体ワイパおよび噴霧器アセンブリ。
【請求項２１】
前記少なくとも１つの噴霧器に内部液体循環路を形成し、これに前記循環導管が結合され、前記液体循環路が、前記加熱液体供給導管を噴霧ヘッドに結合する加熱噴霧液体通路を囲む、請求項１８から２０のいずれか１項に記載の加熱液体ワイパおよび噴霧器アセンブリ。
【請求項２２】
自動車のオペレータが加熱噴霧動作を起動すると、前記循環ポンプが即座に起動されて、液体加熱アセンブリからの液体の循環を開始し、したがって前記少なくとも１つの噴霧器と、前記加熱液体供給導管中の液体の両方を単調に加熱し、したがって前記加熱液体供給導管内の液体が、噴霧されると、周囲より高い温度へと加熱される、請求項１８から２１のいずれか１項に記載の加熱液体ワイパおよび噴霧器アセンブリ。
【請求項２３】
前記少なくとも１つの噴霧器が、
入口にて前記供給導管から加圧状態で噴霧液体を受け取り、加圧状態の液体を自動車のウィンドシールドに噴霧するための複数の噴霧器出口を設けた密封ボリュームと、
前記密封ボリューム内に配置されて、前記加熱液体循環アセンブリに結合された内部熱交換液体循環通路要素とを備える、請求項１６から２２のいずれか１項に記載の加熱液体ワイパおよび噴霧器アセンブリ。
【請求項２４】
前記ウィンドシールド・ワイパ・アセンブリが、前記加熱液体循環アセンブリに結合された内部熱交換液体循環通路要素が形成されたワイパ・ブレードを備える、請求項１６から２３のいずれか１項に記載の加熱液体ワイパおよび噴霧器アセンブリ。
【請求項２５】
ウィンドシールド・ワイパ・アセンブリを備え、これが、
ウィンドシールド・ワイパ支持アームと、
ウィンドシールド・ワイパとを備え、更に、
自動車のウィンドシールドに沿って回転運動で前記ウィンドシールド・ワイパ・アセンブリを動作させるよう作動するウィンドシールド・ワイパ・ドライバ・アセンブリと、
前記ウィンドシールド・ワイパ・アセンブリに装着した少なくとも１つのウィンドシールド噴霧器とを備え、前記支持アームが、前記ウィンドシールドに対する前記ワイパ・アセンブリの運動方向にしたがって前記少なくとも１つのウィンドシールド噴霧器を制御するウィンドシールド噴霧器制御システム。
【請求項２６】
前記ウィンドシールド・ワイパ・アセンブリに装着した少なくとも１つの第２ウィンドシールド噴霧器も備え、前記支持アームが、前記ウィンドシールドに対する前記ワイパ・アセンブリの運動方向にしたがって前記少なくとも１つの第２ウィンドシールド噴霧器を制御する、請求項２５に記載のウィンドシールド噴霧器制御システム。
【請求項２７】
前記少なくとも１つのウィンドシールド噴霧器に液体を供給する少なくとも１本の液体供給導管も備える、請求項２５又は２６に記載のウィンドシールド噴霧器制御システム。
【請求項２８】
ウィンドシールド洗浄サブシステムを備える自動車の加熱液体噴霧システムであって、該加熱液体噴霧システムが、
ウィンドシールド・ワイパおよび噴霧器アセンブリを備え、そのウィンドシールド・ワイパおよび噴霧器アセンブリが、
ウィンドシールド・ワイパ・アセンブリ、
自動車のウィンドシールドに沿って回転および直線運動で前記ウィンドシールド・ワイパ・アセンブリを動作させるよう作動するウィンドシールド・ワイパ・ドライバ・アセンブリ、
前記ウィンドシールド・ワイパ・アセンブリに装着したウィンドシールド噴霧器アセンブリとを備え、前記少なくとも１つの噴霧器が、
噴霧器ハウジングと、
前記噴霧器ハウジングに対して選択的に位置決めするよう配置され、噴霧を可能にする第１位置、および噴霧を可能にしない第２位置とをとる噴霧器ハウジング・クロージャとを備え、更に、
ウィンドシールド・ワイパ・アセンブリの回転位置にしたがって、前記ハウジングに対して前記第１および第２位置のいずれかに前記ハウジング・クロージャを選択的に位置決めするため、前記ウィンドシールド・ワイパ・アセンブリの前記直線運動に応答して作動するウィンドシールド噴霧器アセンブリ位置決めアセンブリを備え、更に、
液体加熱アセンブリ・サブシステムを備え、該液体加熱アセンブリ・サブシステムが、
液体加熱室を画定するハウジングと、
前記液体加熱室内に配置され、ベース部分、および少なくとも１つの液体注入口を設けた概ね円筒形の壁部分を含む液体加熱ボリューム画定サブアセンブリとを備える加熱液体噴霧システム。
【請求項２９】
ウィンドシールド洗浄サブシステムを備える自動車の加熱液体噴霧システムであって、該加熱液体噴霧システムが、
ウィンドシールド・ワイパおよび噴霧器アセンブリを備え、そのウィンドシールド・ワイパおよび噴霧器アセンブリが、
ウィンドシールド・ワイパ・アセンブリと、
自動車のウィンドシールドに沿って少なくとも回転運動で前記ウィンドシールド・ワイパ・アセンブリを動作させるよう作動するウィンドシールド・ワイパ・ドライバ・アセンブリと、
前記ウィンドシールド・ワイパ・アセンブリに装着したウィンドシールド噴霧器アセンブリとを備え、前記ウィンドシールド噴霧器アセンブリが少なくとも１つの噴霧器を備え、該少なくとも１つの噴霧器が、
噴霧器ハウジングと、
前記噴霧器ハウジングに対して選択的に位置決めするよう配置され、噴霧を可能にする第１位置、および噴霧を可能にしない第２位置とをとる噴霧器ハウジング・クロージャとを備え、更に、
ウィンドシールド・ワイパ・アセンブリの回転位置にしたがって、前記噴霧器ハウジングに対して前記第１および第２位置のいずれかに前記噴霧器ハウジング・クロージャを選択的に位置決めするため、前記ウィンドシールド・ワイパ・アセンブリの前記運動に応答して作動するウィンドシールド噴霧器アセンブリ位置決めアセンブリと、
液体加熱アセンブリ・サブシステムとを備え、該液体加熱アセンブリ・サブシステムが、
液体加熱室を画定するハウジングと、
前記液体加熱室内に配置され、ベース部分、および少なくとも１つの液体注入口を設けた概ね円筒形の壁部分を含む液体加熱ボリューム画定サブアセンブリとを備える加熱液体噴霧システム。
【請求項３０】
噴霧器ハウジングおよび噴霧器ハウジングに対する噴霧器ハウジング・クロージャを含む少なくとも１つの噴霧器を含むウィンドシールド噴霧器アセンブリを自身上に装着して有するウィンドシールド・ワイパ・アセンブリを設けることを含み、前記噴霧器ハウジング・クロージャが、噴霧を可能にする第１位置および噴霧を可能にしない第２位置とを提供し、更に、
自動車のウィンドシールドに沿った回転および直線運動で前記ウィンドシールド・ワイパ・アセンブリを動作させること、
ウィンドシールド・ワイパ・アセンブリの回転位置にしたがって、前記ウィンドシールド・ワイパ・アセンブリの前記直線運動に応答し、前記噴霧器ハウジングに対して前記第１および第２位置のいずれかで前記噴霧器ハウジング・クロージャを選択的に位置決めすることとを含むウィンドシールド洗浄方法。
【請求項３１】
ウィンドシールド噴霧方法で、
噴霧器ハウジングと、前記噴霧器ハウジングに対して選択的に位置決めするよう配置された噴霧器ハウジング・クロージャとを含み、噴霧を可能にする第１位置、および噴霧を可能にしない第２位置とをとる少なくとも１つの噴霧器を設けることと、
前記噴霧器ハウジングを加熱することとを含むウィンドシールド噴霧方法。
【請求項３２】
前記噴霧器ハウジング・クロージャを加熱することを含む、請求項３１に記載のウィンドシールド噴霧方法。
【請求項３３】
噴霧器ハウジングおよび前記噴霧器ハウジングに対する噴霧器ハウジング・クロージャを含む少なくとも１つの噴霧器を含むウィンドシールド噴霧器アセンブリを自身上に装着して有するウィンドシールド・ワイパ・アセンブリを設けることを含み、前記噴霧器ハウジング・クロージャが、噴霧を可能にする第１位置および噴霧を可能にしない第２位置とを有し、更に、
自動車のウィンドシールドに沿った回転運動で前記ウィンドシールド・ワイパ・アセンブリを動作させることと、
前記ウィンドシールド・ワイパ・アセンブリの回転位置にしたがって、前記噴霧器ハウジングに対して前記第１および第２位置のいずれかで前記噴霧器ハウジング・クロージャを選択的に位置決めすることとを含むウィンドシールド洗浄方法。
【請求項３４】
ウィンドシールド・ワイパおよび噴霧器アセンブリで使用するため液体を加熱する方法であって、
液体加熱室を画定するハウジングを設けること、
ベース部分および概ね円筒形の壁部分を含む液体加熱ボリューム画定サブアセンブリを配置することとを含み、複数の液体注入口が、前記液体加熱室内で前記壁部分に沿って様々な高さにある液体加熱方法。
【請求項３５】
ウィンドシールド・ワイパおよび噴霧器アセンブリで使用するため液体を加熱する方法で、
液体加熱室を画定するハウジングを設けることと、
ベース部分、および少なくとも１つの液体注入口を含む概ね円筒形の壁部分を含む液体加熱ボリューム画定サブアセンブリを前記液体加熱室内に配置することと、
前記液体加熱ボリュームからラビリンス式加熱ユニット内に加熱した液体を受けることと、
前記加熱液体を更に加熱することと、
前記更に加熱した液体を前記ラビリンス式加熱ユニットから出口に提供することとを含む液体加熱方法。
【請求項３６】
ウィンドシールド・ワイパおよび噴霧器アセンブリに有用な液体を加熱する方法で、
液体加熱室を画定するハウジングを設けること、
ベース部分、および少なくとも１つの液体注入口を含む概ね円筒形の壁部分を含む液体加熱ボリューム画定サブアセンブリを液体加熱室内に配置すること、
自動車の当初の装備の一部である液体リザーバから導管を介して液体を受けることと、
自動車の当初の装備の一部であるポンプで液体を加圧することとを含む液体加熱方法。
【請求項３７】
前記液体加熱室の頂部付近に第１液体温度センサを配置することと、
前記第１液体温度センサを介して前記液体の温度を感知することとを含む、請求項３５に記載の液体加熱方法。
【請求項３８】
ウィンドシールド・ワイパおよび噴霧器アセンブリで使用するため、液体を加熱する方法で、
液体加熱室を画定するハウジングを設けること、
ベース部分、および少なくとも１つの液体注入口を設けた概ね円筒形の壁部分を含む液体加熱ボリューム画定サブアセンブリを液体加熱室内に配置すること、
温度センサを前記液体加熱室の壁に配置すること、
前記温度センサを介して前記液体の温度を感知することとを含む液体加熱方法。
【請求項３９】
回路遮断器スイッチを動作させることと、
前記第２温度センサが、所定の温度閾値の超過を感知した場合、自動車のバッテリから前記液体加熱室への電力供給を自動的に遮断することとを含む、請求項３８に記載の液体加熱方法。
【請求項４０】
電子加熱制御回路を使用して、前記加熱を電子的に制御することを含む、請求項３４から３９のいずれか１項に記載の液体加熱方法。
【請求項４１】
前記制御が、更に、前記液体加熱室への加圧液体の供給を支配する少なくとも１つのポンプに、電力を提供することを含む、請求項４０に記載の液体加熱方法。
【請求項４２】
液体を加熱することと、
液体を前記ウィンドシールド噴霧器に供給するため、ウィンドシールド・ワイパ、ウィンドシールド噴霧器および液体供給導管のうち少なくとも１つの熱交換係合する状態で循環させるため、前記加熱液体を供給することとを含む加熱液体循環方法。
【請求項４３】
液体を加熱すること、
加熱した液体を噴霧するため、少なくとも１本の加熱液体供給導管を介してそれを少なくとも１つの噴霧器に供給すること、
ウィンドシールド・ワイパ、前記少なくとも１つの噴霧器および前記少なくとも１本の加熱液体供給導管のうち少なくとも１つと熱交換係合した状態で前記加熱液体を循環させることとを含む加熱液体ワイパおよび噴霧器方法。
【請求項４４】
連続的循環路を画定するため、前記少なくとも１つの噴霧器で接合される１対の循環導管と協働する循環ポンプによって、前記加熱液体供給導管に沿って、前記少なくとも１つの噴霧器を通して加熱液体を循環させることを含む、請求項４３に記載の加熱液体ワイパおよび噴霧器方法。
【請求項４５】
前記循環導管で、前記加熱液体供給導管を概ね囲むことを含む、請求項４４に記載の加熱液体ワイパおよび噴霧器方法。
【請求項４６】
前記少なくとも１つの噴霧器に内部液体循環路を形成することと、
前記循環導管を前記内部液体循環路と結合することとを含み、前記液体循環路が、前記加熱液体供給導管を噴霧ヘッドに結合する加熱噴霧液体通路を囲む、請求項４４又は４５に記載の加熱液体ワイパおよび噴霧器方法。
【請求項４７】
自動車のオペレータが加熱噴霧動作を始動すると、前記循環ポンプを即座に起動して、液体の循環を開始させ、それによって前記少なくとも１つの噴霧器と、前記加熱液体供給導管の液体との両方を単調に加熱することを含み、したがって前記加熱液体供給導管内の液体を噴霧する場合、これを周囲より高い温度まで加熱することを含む、請求項４４から４６のいずれか１項に記載の加熱液体ワイパおよび噴霧器方法。
【請求項４８】
前記供給導管から前記密封ボリュームへの入口で、加圧した噴霧液体を受けることと、
複数の噴霧出口を通して自動車のウィンドシールドへと加圧した液体を噴霧することと、
前記密封ボリューム内に内部熱交換液体循環通路要素を配置し、前記加熱液体循環アセンブリに結合することとを含む、請求項４３から４７のいずれか１項に記載の加熱液体ワイパおよび噴霧器方法。
【請求項４９】
前記加熱液体循環アセンブリに結合された内部熱交換液体循環通路要素を、ワイパ・ブレードに形成することを含む、請求項４３から４８のいずれか１項に記載の加熱液体ワイパおよび噴霧器方法。
【請求項５０】
ウィンドシールド・ワイパ支持アームおよびウィンドシールド・ワイパを含むウィンドシールド・ワイパ・アセンブリに、それに装着した少なくとも１つのウィンドシールド噴霧器を設けること、
自動車のウィンドシールドに沿って回転運動で前記ウィンドシールド・ワイパ・アセンブリを動作させること、
前記ウィンドシールドに対する前記ワイパ・アセンブリの運動方向にしたがって前記少なくとも１つのウィンドシールド噴霧器を制御することとを含むウィンドシールド噴霧器制御方法。
【請求項５１】
自動車の加熱液体噴霧方法であって、
噴霧器ハウジングおよび前記噴霧器ハウジングに対して動作可能な噴霧器ハウジング・クロージャを含む少なくとも１つの噴霧器を含むウィンドシールド噴霧器アセンブリを自身上に装着して有するウィンドシールド・ワイパ・アセンブリを設けることを含み、前記噴霧器ハウジング・クロージャが、噴霧を可能にする第１位置、および噴霧を可能にしない第２位置を提供し、更に、
前記ウィンドシールド・ワイパ・アセンブリを自動車のウィンドシールドに沿って回転および直線運動で動作させること、
ウィンドシールド・ワイパ・アセンブリの回転位置にしたがって、前記ウィンドシールド・ワイパ・アセンブリの前記直線運動に応答し、前記噴霧器ハウジングに対して前記第１および第２位置のいずれかに前記噴霧器ハウジングを選択的に位置決めすること、
液体加熱室を設けること、
ベース部分、および少なくとも１つの液体注入口を含む概ね円筒形の壁部分を含む液体加熱ボリューム画定サブアセンブリを、前記液体加熱室内に配置すること、
前記液体加熱室から前記少なくとも１つの噴霧器へと加熱した液体を供給することとを含む加熱液体噴霧方法。
【請求項５２】
自動車の加熱液体噴霧方法であって、
噴霧器ハウジングおよび前記噴霧器ハウジングに対して動作可能な噴霧器ハウジング・クロージャを含む少なくとも１つの噴霧器を含むウィンドシールド噴霧器アセンブリを自身上に装着して有するウィンドシールド・ワイパ・アセンブリを設けることを含み、前記噴霧器ハウジング・クロージャが、噴霧を可能にする第１位置、および噴霧を可能にしない第２位置を提供し、更に、
前記ウィンドシールド・ワイパ・アセンブリを自動車のウィンドシールドに沿って少なくとも回転運動で動作させること、
ウィンドシールド・ワイパ・アセンブリの回転位置にしたがって、前記ウィンドシールド・ワイパ・アセンブリの前記直線運動に応答し、前記噴霧器ハウジングに対して前記第１および第２位置のいずれかに前記噴霧器ハウジングを選択的に位置決めすることと、
液体加熱室を設けること、
ベース部分、および少なくとも１つの液体注入口を含む概ね円筒形の壁部分を含む液体加熱ボリューム画定サブアセンブリを、前記液体加熱室内に配置すること、
前記液体加熱室から前記少なくとも１つの噴霧器へと加熱した液体を供給することとを含む加熱液体噴霧方法。
【請求項５３】
以下の自動車の特徴、つまり自動車バッテリ電圧、自動車バッテリ充電電流および自動車エンジン回転速度のうち少なくとも１つをチェックすること、
前記少なくとも１つの自動車の特徴を、自動車の所定の最低特徴閾値と比較すること、
前記自動車の最低特徴閾値に適合したら、待機モードで前記液体加熱アセンブリの動作を認証することとを含む、ウィンドシールド・ワイパ及び噴霧器アセンブリに有用な液体加熱方法。
【請求項５４】
前記待機モードが、外気温センサが使用できない場合は、前記電子加熱制御回路がラビリンス式加熱ユニットを操作し、前記液体加熱室内の噴霧液体を少なくとも第１の所定待機液体温度に維持するため、少なくとも１つの加熱要素も操作し、
外気温センサが使用可能で、それで測定した外気温が第１外気温閾値より高い場合は、前記ラビリンス式加熱ユニットのみ操作し、
外気温センサが測定した外気温が前記第１外気温閾値より低いが、第２外気温閾値より高い場合は、前記ラビリンス式加熱ユニットを操作して、前記液体加熱室内の液体を、少なくとも第２の所定待機液体温度に維持するため、前記加熱要素のうち少なくとも１つを追加的に操作し、
前記外気温センサが測定した外気温が前記第２温度閾値より低い場合は、噴霧液体を、前記第１および第２所定待機液体温度より高い第３待機液体温度に維持するため、前記ラビリンス式加熱ユニットを操作し、前記加熱要素のうち少なくとも１つも操作することを含む、請求項５３に記載の液体加熱方法。
【請求項５５】
前記自動車の最低特徴閾値が、ほぼ、
自動車のバッテリ電圧が１２．５ボルト、
自動車のバッテリ充電電流が１５アンペア、
自動車のエンジン回転速度が１０００ＲＰＭである、請求項５３または５４に記載の液体加熱方法。
【請求項５６】
液体加熱室において液体を受け取ることと、
汚れセンサから入力を受信することと、
前記入力が噴霧可能な表面が汚れていることを示す場合に、液体を加熱する為に、前記液体加熱室を自動的に始動することとを含む、請求項３４から４１のいずれか１項に記載の液体加熱方法。
【請求項５７】
液体加熱アセンブリと、
少なくとも１つの噴霧器と、
加熱した液体を前記液体加熱アセンブリから前記少なくとも１つの噴霧器へと噴霧するため、それを供給するよう、少なくとも１本の加熱液体供給導管を含む加熱液体供給アセンブリと、
ウィンドシールドが汚れた場合に、液体加熱アセンブリの動作を自動的に開始するため、ウィンドシールド汚れセンサを設けた、
自動車の加熱液体を噴霧するための加熱液体噴霧器のアセンブリ。
【請求項５８】
前記電子加熱制御回路が以下の自動車の特徴、つまり自動車のバッテリ電圧、自動車のバッテリ充電電流および自動車のエンジン回転速度のうち少なくとも１つをチェックし、これを自動車の所定の最低特徴閾値と比較する機能ステップと、
前記自動車の最低特徴閾値に適合すると、前記液体加熱アセンブリは、待機モードで操作される、
前記待機モード機能を提供するための電子制御回路動作を有する自動車のウィンドシールド・ワイパー及び噴霧器アセンブリに有用な液体加熱アセンブリ。
【請求項５９】
前記待機モードが、
外気温センサが使用できない場合は、前記電子加熱制御回路がラビリンス式加熱ユニットを操作し、前記液体加熱室内の噴霧液体を少なくとも第１の所定待機液体温度に維持するため、少なくとも１つの加熱要素も操作し、
外気温センサが使用可能で、それで測定した外気温が第１外気温閾値より高い場合は、前記ラビリンス式加熱ユニットのみ操作し、
外気温センサが測定した外気温が前記第１外気温閾値より低いが、第２外気温閾値より高い場合は、前記ラビリンス式加熱ユニットを操作して、前記液体加熱室内の液体を、少なくとも第２の所定待機液体温度に維持するため、前記加熱要素のうち少なくとも１つを追加的に操作し、
前記外気温センサが測定した外気温が前記第２温度閾値より低い場合は、噴霧液体を、前記第１および第２所定待機液体温度より高い第３待機液体温度に維持するため、前記ラビリンス式加熱ユニットを操作し、前記加熱要素のうち少なくとも１つを操作する、
ことを含む、
請求項５８に記載の液体加熱アセンブリ。
【請求項６０】
前記自動車の最低特徴閾値が、ほぼ、
自動車のバッテリ電圧が１２．５ボルト、
自動車のバッテリ充電電流が１５アンペア、
自動車のエンジン回転速度が１０００ＲＰＭである、請求項５８又は５９に記載の液体加熱アセンブリ。